(57)【要約】【課題】種々の化粧品の取出しを容易にする複数の容器を有する包装器具を提供する。【解決手段】本発明は、積重ね軸線上に重ね合わせ可能に構成された少なくとも２つの容器（２，３，４）と、２つの容器を相互に連結し、容器のうち一つを他の容器に対し、積重ね軸線に平行ではない回転軸線の回りに少なくとも部分的にピボット運動できるようにする少なくとも１つのヒンジ（７）とを有し、各容器は、ハウジングを構成し、ハウジングのうち少なくとも２つは、別々の物質を収容している。【選択図】　　　　図１
2004059155.tif 000002
【特許請求の範囲】
【請求項１】
積重ね軸線上に重ね合わせ可能に構成された少なくとも２つの容器から成る器具であって、容器のうち一つは、ヒンジ付きの蓋を有し、もう一つの容器は、前記蓋に付け足され、各容器は、ハウジングを構成することを特徴とする器具。
【請求項２】
容器は各々、ハウジングを構成し、前記器具は、ハウジングを互いに別個独立に開くことができるように構成されていることを特徴とする請求項１記載の器具。
【請求項３】
各容器は、閉じ蓋を有していることを特徴とする請求項１又は２記載の器具。
【請求項４】
頂部の蓋を除き、各蓋（１７）は、容器が重ね合わされ且つ積重ね軸線が垂直であるとき、そのすぐ上に位置する容器に固定されていることを特徴とする請求項３記載の器具。
【請求項５】
容器は各々、ハウジングを構成し、ハウジング（１２）のうち少なくとも１つは、容器が重ね合わされると密封状態に閉鎖されることを特徴とする請求項１〜４のうち何れか一に記載の器具。
【請求項６】
ヒンジは、容器のうち一つをもう一つの容器に対し、積重ね軸線に対して平行ではない回転軸線の回りに少なくとも部分的にピボット運動させることができることを特徴とする請求項１〜５のうち何れか一に記載の器具。
【請求項７】
少なくとも２つのヒンジを有していることを特徴とする請求項１〜６のうち何れか一に記載の器具。
【請求項８】
ヒンジは、容器の積重ね軸線（Ｘ）の回りに角度的に互いに偏心していることを特徴とする請求項７記載の器具。
【請求項９】
ハウジング（１２）のうち少なくとも１つは、化粧品又はケア製品を収容していることを特徴とする請求項１〜８のうち何れか一に記載の器具。
【請求項１０】
ハウジングのうち少なくとも１つは、アプリケータ部材（２７）を収容していることを特徴とする請求項１〜９のうち何れか一に記載の器具。
【請求項１１】
ねじ止め、スナップ留め又は摩擦により受け器（３０）又は受け器の閉じキャップ（３９）に固定可能な固定手段を有していることを特徴とする請求項１〜１０のうち何れか一に記載の器具。
【請求項１２】
スナップ留め、ねじ止め又は摩擦により受け器に固定可能な固定手段を備えていないことを特徴とする請求項１〜１０のうち何れか一に記載の器具。
【請求項１３】
積重ね軸線（Ｘ）上に重ね合わせ可能に構成された少なくとも２つの容器（２，３，４）と、２つの容器を互いに連結し、容器のうち１つを他の容器に対し、積重ね軸線に対して平行ではない回転軸線（Ｚ）の回りに少なくとも部分的にピボット運動させることができる少なくとも１つのヒンジとから成り、各容器は、ハウジング（１２）を構成し、ハウジングのうち少なくとも２つは、互いに異なる物質を収容していることを特徴とする器具。
【請求項１４】
積重ね軸線上に重ね合わせ可能に構成された少なくとも３つの容器と、容器のうち１つを他の容器に対し、積重ね軸線に平行ではない回転軸線の回りに少なくとも部分的にピボット運動できるようにする少なくとも１つのヒンジとから成る器具であって、各容器は、ハウジングを構成し、各容器は、一番下に位置する容器を除き、容器が重ね合わされ且つ積重ね軸線が垂直であるとき、そのすぐ下に位置する容器の閉じ蓋として役目を果たすことを特徴とする器具。
【請求項１５】
積重ね軸線上に重ね合わせ可能に構成された少なくとも３つの容器と、容器のうち１つを他の容器に対し、積重ね軸線に平行ではない回転軸線の回りに少なくとも部分的にピボット運動できるようにする少なくとも１つのヒンジとから成る器具であって、各容器は、ハウジングを構成し、容器のうち少なくとも１つは、そのすぐ下に位置する容器に着脱自在に固定されていることを特徴とする器具。
【請求項１６】
積重ね軸線上に重ね合わせ可能に構成された少なくとも２つの容器と、２つの容器を相互に連結し、容器のうち１つを他の容器に対し、積重ね軸線に平行ではない回転軸線の回りに少なくとも部分的にピボット運動できるようにする少なくとも１つのヒンジとから成る器具であって、各容器は、ハウジングを構成し、少なくとも端の容器によって構成されたハウジングは、アプリケータ部材を収容していることを特徴とする器具。
【請求項１７】
受け器を閉鎖する閉じキャップであって、請求項１〜１１のうち何れか一に記載の器具を有していることを特徴とするキャップ。
【請求項１８】
キャップであって、受け器に固定されると共に請求項１〜１１のうち何れか１に記載の器具をキャップに着脱自在に固定できるよう構成された底部を有していることを特徴とする請求項１４記載のキャップ。
【請求項１９】
請求項１１又は１４〜１６のうち何れか一に記載の器具を備えた受け器。
【請求項２０】
受け器であって、受け器本体と、閉じキャップとを有し、閉じキャップは、積重ね軸線上に重ね合わせ可能であるように構成された少なくとも２つの容器と、容器のうちの１つを、他の容器に対し、積重ね軸線に平行ではない回転軸線の回りに少なくとも部分的にピボット運動できるようにする少なくとも１つのヒンジとを有し、各容器はハウジングを構成していることを特徴とする受け器。
【請求項２１】
キャップは、少なくとも３つの容器から成ることを特徴とする請求項２０記載の受け器。
【請求項２２】
容器のうち少なくとも１つは、そのすぐ下の容器に着脱自在に固定されることを特徴とする請求項２０又は２１記載の受け器。
【請求項２３】
ハウジング（１２）を互いに別個独立に開くことができるように構成されていることを特徴とする請求項２０〜２２のうち何れか一に記載の受け器。
【請求項２４】
容器のうちの一つは、ヒンジ（７）によって前記容器に連結された蓋（１７）を有し、もう一つの容器は、前記蓋に固定されていることを特徴とする請求項２０〜２３のうち何れか一に記載の受け器。
【請求項２５】
容器のうちの一つは、もう一つの容器を閉鎖する閉じ蓋を形成するように構成されていることを特徴とする請求項２０〜２３のうち何れか一に記載の受け器。
【請求項２６】
各容器は、閉じ蓋を有していることを特徴とする請求項２０〜２４のうち何れか一に記載の受け器。
【請求項２７】
一番上に位置する蓋を除き、各蓋（１７）は、容器が重ね合わされ且つ積重ね軸線が垂直であるとき、そのすぐ上に位置する容器に固定されていることを特徴とする請求項２６記載の受け器。
【請求項２８】
一番下に位置する容器を除き、各容器は、容器が重ね合わされ且つ積重ね軸線が垂直であるとき、そのすぐ下に位置する容器の閉じ蓋として役目を果たすことを特徴とする請求項２５記載の受け器。
【請求項２９】
ハウジング（１２）のうち少なくとも１つは、容器が重ね合わされると密封状態に閉鎖されることを特徴とする請求項２０〜２８のうち何れか一に記載の受け器。
【請求項３０】
少なくとも２つのヒンジを有していることを特徴とする請求項２０〜２９のうち何れか一に記載の受け器。
【請求項３１】
ヒンジは、容器の積重ね軸線（Ｘ）の回りに角度的に互いに偏心していることを特徴とする請求項３０記載の受け器。
【請求項３２】
ハウジング（１２）のうち少なくとも１つは、化粧品又はケア製品を収容していることを特徴とする請求項２０〜３１のうち何れか一に記載の受け器。
【請求項３３】
ハウジングのうち少なくとも１つは、アプリケータ部材（２７）を収容していることを特徴とする請求項２０〜３２のうち何れか一に記載の受け器。
【発明の詳細な説明】
【０００１】
【発明の属する技術分野】
本発明は、包装器具に関し、特に、少なくとも１つの化粧品を収容するよう設計された包装器具に関する。
【０００２】
【従来の技術及び発明が解決しようとする課題】
「化粧品」という用語は、１９９３年６月１４日付ＥＥＣ指令９３／３５で定義される化粧品を意味する。
例えば、容器から取った種々の化粧品を次々に又は同時にメーキャップされ又は処理されるべき媒体に塗布するため、容器にそれぞれ入っている種々の化粧品の取出しを容易にする器具が要望されている。
【０００３】
【課題を解決するための手段】
本発明は、その特徴のうちの１つによれば、積重ね軸線上に重ね合わせ可能に構成された少なくとも２つの容器と、２つの容器を相互に連結し、容器のうち１つを他の容器に対し、積重ね軸線に平行ではない回転軸線の回りに少なくとも部分的にピボット運動できるようにする少なくとも１つのヒンジとを有する器具であって、各容器が、ハウジングを構成している器具を提供する。
回転軸線は、積重ね軸線に垂直であるのがよい。
器具は、ハウジングを互いに別個独立に開くことができるように構成されているのがよい。
【０００４】
重ね合わされると、種々の容器は、容易に持ち運び又はしまうことができる単一品のようになる柱状体を形成する。使用中、ユーザは、２つの容器を互いに対して回動させ、それにより、容器のうちの１つのハウジングに接近できるようにすることにより柱状体を「壊す」ことができる。
ユーザは、柱状体を片手で持った状態でこれを操作することができる。
【０００５】
ユーザは、ハウジングのうちの１つに接近するために蓋を下に置く必要はなく、それにより、特に例えばユーザが必ずしも蓋を下に置くことができる安定した平らな水平面を得ることができない自動車又は公共交通機関のような環境中での器具の使用が容易になる。また、蓋を下に置く必要がないということにより、例えば蓋を衣服に接触させる恐れ及びかかる衣服に跡を残す恐れが少なくなる。
容器のうちの一つは、ヒンジ付きの蓋を有するのがよく、もう一つの容器は、場合によっては着脱自在に上記蓋に固定されるのがよい。
また、容器のうちの一つは、もう一つの容器を閉鎖する閉じ蓋を形成するように構成されたものであるのがよい。
各容器は、閉じ蓋を有するのがよい。
一番上に位置する蓋を除き、各蓋は、容器が重ね合わされ且つ積重ね軸線が垂直であるとき、そのすぐ上に位置する容器に固定されるのがよい。
【０００６】
変形例として、各容器は、一番下に位置する容器を除き、容器が重ね合わされ且つ積重ね軸線が垂直であるとき、そのすぐ下に位置する容器の閉じ蓋として役目を果たすものであってもよい。
全ての容器を同じやり方で積み重ねることができ、或いは、これら容器のうち少なくとも２つ又は３つの容器を同一の仕方で積み重ねることができる。各容器は、開口部を有するのがよく、かかる開口部は、同一のやり方で差し向けられ、例えば、一番上の容器に向かって差し向けられる。
容器が重ね合わされると、ハウジングのうち少なくとも１つが密封状態に閉鎖されるのがよい。全てのハウジングを密封状態に閉鎖するのがよい。
【０００７】
器具は、少なくとも２つの容器を有してもよく、或いは、器具は、重ね合わせ可能なように構成された少なくとも３つの容器、例えば、４つ又は５つの容器と少なくとも２つのヒンジ、又は少なくとも３つのヒンジを有してもよい。
器具は、容器の積重ね軸線の回りに角度的に互いに偏心した少なくとも２つのヒンジを有するのがよい。２つのヒンジを１８０゜以外の角度だけ角度的にずらすのがよい。
ハウジングのうち少なくとも１つは、物質、特に、化粧品又はケア製品を収容することができる。少なくとも２つのハウジング、又はハウジングの全ては、互いに異なる物質、例えば、互いに異なる色を持つ化粧品又は互いに異なる活性成分を含むケア製品を収容することができる。
【０００８】
ハウジングのうち少なくとも１つ、特に、端に位置する容器によって構成されたハウジングは、アプリケータ部材を更に収容するのがよい。
器具は、ねじ止め、スナップ留め又は摩擦により受け器又は受け器の閉じキャップに固定可能な固定手段を有するのがよい。
また、器具がスナップ留め、ねじ止め又は摩擦により受け器に固定可能な固定手段を備えていなくてもよい。
本発明は又、積重ね軸線上に重ね合わせ可能に構成された少なくとも２つの容器から成る器具であって、容器のうち一つが、ヒンジを介してこの容器に連結された蓋を有し、もう一つの容器が、前記蓋に付け足され、各容器が、ハウジングを構成することを特徴とする器具を提供する。
【０００９】
ヒンジは、容器のうち一つをもう一つの容器に対し、積重ね軸線に対して平行ではない回転軸線の回りに少なくとも部分的にピボット運動させることができるようになっているのがよい。
本発明は又、積重ね軸線上に重ね合わせ可能に構成された少なくとも３つの容器と、容器のうち１つを他の容器に対し、積重ね軸線に平行ではない回転軸線の回りに少なくとも部分的にピボット運動できるようにする少なくとも１つのヒンジとを有する器具であって、各容器は、ハウジングを構成し、各容器は、一番下に位置する容器を除き、容器が重ね合わされ且つ積重ね軸線が垂直であるとき、そのすぐ下に位置する容器の閉じ蓋として役目を果たすことを特徴とする器具を提供する。
【００１０】
本発明は又、積重ね軸線上に重ね合わせ可能に構成された少なくとも２つの容器と、２つの容器を相互に連結し、容器のうち１つを他の容器に対し、積重ね軸線に平行ではない回転軸線の回りに少なくとも部分的にピボット運動できるようにする少なくとも１つのヒンジとを有する器具であって、各容器は、ハウジングを構成し、ハウジングのうち少なくとも２つは、別々の物質を収容していることを特徴とする器具を提供する。
【００１１】
本発明は又、積重ね軸線上に重ね合わせ可能に構成された少なくとも３つの容器と、容器のうち１つを他の容器に対し、積重ね軸線に平行ではない回転軸線の回りに少なくとも部分的にピボット運動できるようにする少なくとも１つのヒンジとを有する器具であって、各容器は、ハウジングを構成し、容器のうち少なくとも１つは、そのすぐ下に位置する容器に着脱自在に固定されていることを特徴とする器具を提供する。
【００１２】
本発明は又、積重ね軸線上に重ね合わせ可能に構成された少なくとも２つの容器と、２つの容器を相互に連結し、容器のうち１つを他の容器に対し、積重ね軸線に平行ではない回転軸線の回りに少なくとも部分的にピボット運動できるようにする少なくとも１つのヒンジとを有する器具であって、各容器は、ハウジングを構成し、少なくとも端の容器によって構成されたハウジングは、アプリケータ部材を収容していることを特徴とする器具を提供する。
【００１３】
本発明は又、受け器を閉鎖する閉じキャップであって、上述したような器具を有していることを特徴とする閉じキャップを提供する。
キャップは、受け器に固定されると共に上述したような器具をキャップに着脱自在に固定できるよう構成された底部を有するのがよい。
本発明は又、上述したような器具を備えた受け器を提供する。
【００１４】
本発明は、受け器であって、受け器本体と、閉じキャップとを有し、閉じキャップは、積重ね軸線上に重ね合わせ可能であるように構成された少なくとも２つの容器と、容器のうちの１つを、他の容器に対し、積重ね軸線に平行ではない回転軸線の回りに少なくとも部分的にピボット運動できるようにする少なくとも１つのヒンジとを有し、各容器はハウジングを構成していることを特徴とする受け器を提供する。
受け器を閉鎖する閉じキャップは、少なくとも３つの容器から成る。
容器のうち少なくとも１つをそのすぐ下の容器に着脱自在に固定するのがよい。
【００１５】
本発明は又、受け器であって、受け器本体と、閉じキャップとを有し、閉じキャップは、積重ね軸線上に重ね合わせ可能であるように構成された少なくとも２つの容器と、容器のうちの１つを、他の容器に対し、積重ね軸線に平行ではない回転軸線の回りに少なくとも部分的にピボット運動できるようにする少なくとも１つのヒンジとを有し、各容器が、ハウジングを構成し、容器のうち少なくとも１つが、アプリケータ部材を有している受け器を提供する。
【００１６】
本発明の内容は、添付の図面を参照して非限定的な実施形態についての以下の詳細な説明を読むと一層よく理解されよう。
【００１７】
【発明の実施の形態】
図１及び図２は、本発明に従って構成された例示の器具１を示しており、この器具は、積重ね軸線Ｘ上で重ね合わせ可能な複数の容器、即ち、一番下に位置する容器（以下、「最下容器」という）２及び一番上に位置する容器（以下、「最上容器」という）３、並びに場合によってはこれら相互間に設けられた１又は複数の中間容器４から成っている。ヒンジ７により、各容器をその隣の容器に対し少なくとも部分的にピボット運動させることができる。各ヒンジ７は好ましくは、プラスチック材料と容器のうち少なくとも１つと一体成形されることにより形成されたフィルムヒンジである。
【００１８】
図３は、かかるヒンジ７の一例の拡大図である。ヒンジは、各々が積重ね軸線Ｘに平行ではない回転軸線Ｚ回りのピボット運動を可能にする薄肉ゾーン９を含む２つの材料ブリッジ８を有するのがよく、更に、２つの材料ブリッジ８相互間に、連結ストリップ１０を有するのがよく、この連結ストリップ１０は、２つの互いにヒンジ止めされた部分が或る角度ストローク、例えば約９０゜を超えてピボット運動したときに、ヒンジをその開放位置に保持するよう構成されている。連結ストリップ１０は、開放ストロークがこの値に達すると、最大応力状態を受ける。検討中の例では、軸線Ｚは実質的に軸線Ｘに垂直である。
【００１９】
当然のことながら、本発明の範囲から逸脱することなく他のヒンジを用いることができ、例えば、連結ストリップ１０を備えていないが、例えば１つの材料ブリッジ８だけを有するフィルムヒンジを用いてもよい。
各容器２，３，４は、化粧品Ｐを収容できるハウジング１２を構成している。化粧品Ｐを図４に示すように対応関係をなす容器に直接入れることができ、或いは、図５に示すように、必要ならば、容器４から取り外すのに適したディッシュ１３に入れて例えばこれを交換できるようにしてもよい。
容器をプラスチック材料、特に、透明又は半透明のプラスチック材料で作るのがよい。
【００２０】
図５及び図６は、２つの連続又は隣接して位置する容器が２つのこれらと対応関係にある掴みタブ１４，１５に固定されている状態を示しており、これら２つの掴みタブ１４，１５は、ヒンジ７の直径方向反対側に設けられていて、柱状体を所望の高さ位置で開くことができるようにする。タブ１４，１５は、２つの対応関係にある容器が積み重ねられると、並んで位置決めされる。
図６は又、ヒンジ７が積重ね軸線Ｘの回りに互いに対し角度的に偏心した状態を示している。分かりやすくするために、図６は、最初の２つの容器だけを示している。ヒンジ７が偏心していることにより、特に各容器の高さが比較的小さい場合、タブ１４，１５に接近することができる。
２つの連続して位置する容器を図７〜図９を参照して以下に説明するように種々のやり方で相互に連結することができる。
【００２１】
各容器は、本体１６及び対応関係をなすヒンジ７により本体１６に連結された蓋１７を有するのがよく、容器のすぐ上に位置する容器は、例えば図７に示すように接着剤の層１９により、蓋１７の頂面に固定された底壁１８を有するのがよい。図７は又、蓋１７が最下容器の本体１６の内面に装着するよう設計された密封唇部２４を有するのがよいことを示している。
【００２２】
本発明の範囲から逸脱しないで、最上容器を最下容器の蓋に固定する他の固定手段を用いることができ、最上容器を例えば図８に示すようにスナップ留め、場合によっては着脱自在な態様で最下容器の蓋に固定してもよい。
この図では、最上容器は、蓋１７に固定された固定手段２２と相補関係をなして協働するよう設計された固定手段２１を有するのがよいことが分かる。図示の例では、固定手段２０，２１は、スナップ留めにより互いに協働するよう構成されているが、これらは又、ねじ止め又は摩擦により協働してもよい。
【００２３】
容器を蓋から分離するのに必要な力は好ましくは、蓋を開くのに必要な力よりも大きい。
本発明の範囲から逸脱しないで、最上容器の底壁を、最上容器が図９に示すように最下容器の蓋として役目を果たすような仕方で構成することも可能である。この図では、最上容器の底壁１８が最下容器の本体の内面に密封状態をなして装着されるように構成された密封唇部２４を有していることが分かる。
【００２４】
ハウジング１２のうち少なくとも１つを、図１０に示すように、物質の代わりにアプリケータ部材２７を受け入れるよう構成するのがよい。この図は、アプリケータ部材１７を容器３に収容できるように構成された壁２８を含む蓋１７を備えた端に位置する容器（以下、「端容器」という）３の一部を示している。
容器から成る柱状体は、図１１に示すように受け器３０を閉鎖する閉じキャップ２９の一部をなすことができる。
図１２で理解できるように、かかる閉じキャップ２９は、受け器３０のねじ山付きネックに螺着されるよう構成されたスカート３２及び受け器の密封閉鎖状態が得られるよう受け器３０の対応関係をなす表面に当接するよう設計された密封唇部３３を有するのがよい。閉じキャップの頂部は、柱状体の第１の容器の本体３４を形成するような仕方で構成されており、この本体は、製品Ｐを収容したハウジング１２を構成している。
本発明の範囲から逸脱することなく容器から成る柱状体を図１３〜図１６を参照して以下に説明するように、受け器の閉じキャップに着脱自在に固定できるようにしてもよい。
【００２５】
図１３は、図１〜図８を参照して説明した柱状体と類似した容器２，３，４から成る柱状体を示しており、容器には、受け器３０の閉じキャップ３９に固定可能な固定手段を更に備えている。図１３は、図１１の受け器の形状とは異なる形状の受け器３０を示しており、それにより、本発明が或る特定の形状を備えた受け器には限定されないことを示している。
【００２６】
受け器をキャップ３９に固定する種々の固定手段を使用してもよい。
例えば、図１４に示すように、容器には、キャップ３９の対応関係をなすねじ山４１と協働するよう設計されたねじ山４０を備えるのがよい。
また、図１５に示すように、容器２をキャップ３９にスナップ留めすることにより固定を行ってもよい。この目的のため、容器２は、例えば、キャップ３９に設けられた対応関係をなす環状溝４４内へスナップ留めされるよう設計された環状ビード４３を備えるのがよい。
【００２７】
図１６に示すように、容器は、摩擦によりキャップ３９の表面４６と協働するよう構成された固定部分４５を更に有してもよい。
図１３に示す器具を使用するためには、ユーザは、利用しようとする物質に対応した高さ位置で柱状体を「壊す」のがよい。一例を挙げると、図１７は、端容器２のところで「壊された」柱状体を示し、図１８は、容器２に隣接した容器のところで「壊された」柱状体を示している。
所望の高さ位置での柱状体の「開放」前又は後において、ユーザは、キャップ３９を受け器３０から外すことができ、そして例えば、受け器３０に固定されたアプリケータ部材４８を用いて図１９に示すように開き状態のハウジングに入っている物質Ｐを取ることができる。ユーザは、物質を１つだけ取り上げてこれを処理されるべき媒体に塗布することができ、或いは、変形例として、例えば同一のアプリケータ部材４８を用いて柱状体の種々のハウジングに入っている数種類の物質を連続して取って例えば色又はテキスチャーの混合状態を生じさせてもよい。
【００２８】
柱状体の種々のハウジング１２に入っている物質のうち少なくとも１つは例えば、比較的サイズの大きな中実体、例えば、フレークで構成されたものであってよく、かかる中実体としてのフレークは、もしこれらが受け器３０に入れられていれば、そして、塗布部材４８が多孔質材料、例えばフォームで構成されていたとすれば、アプリケータ部材４８を通過することができない。受け器３０に入れられている製品は例えば、液体ファンデーションであってよく、ユーザは、アプリケータ部材４８を用いてハウジングのうちの１つから所望の色のフレークを取ることができる。
【００２９】
当然のことながら、本発明は、上述の実施形態には限定されない。
特に、容器の柱状体は、図示の例の容器の数とは異なる数の容器、例えば、２つだけの容器、又は３つ或いは４つの容器から成っていてもよい。
また、容器の柱状体は、フォームアプリケータ部材ではないアプリケータ部材、例えば、焼結アプリケータ部材が固定された受け器と連係してもよい。
【図面の簡単な説明】
【図１】本発明に従って構成された例示の器具の側面図であり、容器が重ね合わされると共にこれと対応関係にあるハウジングが閉鎖されている状態を示す図である。
【図２】柱状体を開放した後の図１の器具を示す図である。
【図３】図１及び図２の器具の細部の部分概略斜視図である。
【図４】開放した容器のハウジングを示す部分概略斜視図である。
【図５】物質がハウジング内部に配置されたディッシュに入れられた状態の変形実施形態を示す図４と類似した図である。
【図６】図１のＶＩの方向に上から見た概略部分図である。
【図７】容器を互いに固定する一構成例の軸方向断面図である。
【図８】容器を互いに固定する別の構成例の軸方向断面図である。
【図９】容器を互いに固定する別の構成例の軸方向断面図である。
【図１０】容器のうちの１つにアプリケータ部材を収納するよう器具の構成例を示す図である。
【図１１】器具が受け器を閉鎖する閉じキャップと連係した本発明の実施形態を示す図である。
【図１２】図９の器具の部分概略断面図である。
【図１３】容器から成る柱状体を受け器の閉じキャップに着脱自在に固定できる変形実施形態を示す図である。
【図１４】柱状体を閉じキャップに固定する一構成例を示す概略軸方向断面図である。
【図１５】柱状体を閉じキャップに固定する別の構成例を示す概略軸方向断面図である。
【図１６】柱状体を閉じキャップに固定する別の構成例を示す概略軸方向断面図である。
【図１７】柱状体を或る高さ位置で、接近されるべき物質の関数として壊す構成例を示す図である。
【図１８】柱状体を別の高さ位置で、接近されるべき物質の関数として壊す構成例を示す図である。
【図１９】受け器に取り付けられたアプリケータ部材により取り出されている物質を示す図。
【符号の説明】
１　器具
２，３，４　容器
７　ヒンジ
８　ブリッジ
１０　連結ストリップ
１４，１５　タブ
２１，２２　固定手段
２７　アプリケータ部材
【図１】
2004059155.tif 000003
【図２】
2004059155.tif 000004
【図３】
2004059155.tif 000005
【図４】
2004059155.tif 000006
【図５】
2004059155.tif 000007
【図６】
2004059155.tif 000008
【図７】
2004059155.tif 000009
【図８】
2004059155.tif 000010
【図９】
2004059155.tif 000011
【図１０】
2004059155.tif 000012
【図１１】
2004059155.tif 000013
【図１２】
2004059155.tif 000014
【図１３】
2004059155.tif 000015
【図１４】
2004059155.tif 000016
【図１５】
2004059155.tif 000017
【図１６】
2004059155.tif 000018
【図１７】
2004059155.tif 000019
【図１８】
2004059155.tif 000020
【図１９】
2004059155.tif 000021